(57)【要約】後の変更期間におけるシステム情報ブロック（ＳＩＢ）変更の通知および検出を容易にするシステムおよび方法が記載される。アクセス・ポイントは、現在のＳＩＢで情報を通知し、ＳＩＢが変更される、後の変更期間を示す。デバイスは、このＳＩＢを受信する。そして、ＳＩＢが変更されるか、および、ＳＩＢが変更される変更期間を判定するために、この情報を処理しうる。これによって、ＳＩＢ変更を示すために、ページングを利用することによる望まれない悪影響を緩和する。なぜなら、デバイスは、セルに入り、アクティブ・モードからアイドル・モードに切り換わる等を行うと、ＳＩＢを読み取るからである。
2011512709.tif 000002
【特許請求の範囲】
【請求項１】
システム情報ブロック（ＳＩＢ）の後の変更を検出する方法であって、
現在の変更期間において現在のＳＩＢを受信することと、
前記現在のＳＩＢ、および／または、前記現在のＳＩＢを変更することに関連する他のＳＩＢを分析することと、
前記現在のＳＩＢが後の変更期間において変更されるかを、少なくとも部分的に１または複数のパラメータに基づいて判定することと
を備える方法。
【請求項２】
前記後の変更期間において、変更されたＳＩＢを受信するように設定することをさらに備え、
前記１または複数のパラメータは、前記後の変更期間において、前記ＳＩＢが変更されたことを示す請求項１に記載の方法。
【請求項３】
前記後の変更期間の開始を検出することをさらに備え、
前記設定は、前記後の変更期間の開始時に実行される請求項２に記載の方法。
【請求項４】
前記後の変更期間において、前記変更されたＳＩＢを受信することと、前記変更されたＳＩＢにおける１または複数のパラメータを利用することとをさらに備える請求項２に記載の方法。
【請求項５】
共通チャネル設定を判定するために、前記変更されたＳＩＢのパラメータを用いて、前記共通チャネル設定によって通信することをさらに備える請求項４に記載の方法。
【請求項６】
前記１または複数のパラメータは、前記現在のＳＩＢが次の変更期間で変更されるかを示すフラグである請求項１に記載の方法。
【請求項７】
前記１または複数のパラメータは、前記現在の変更期間に対する後の変更期間を識別する数字である請求項１に記載の方法。
【請求項８】
無線通信装置であって、
アクセス・ポイントからシステム情報ブロック（ＳＩＢ）を受信し、
後の変更期間において、前記ＳＩＢ、および／または、前記ＳＩＢの変更に関連する他のＳＩＢにおける１または複数のパラメータを判定し、
変更されたＳＩＢを、前記１または複数のパラメータにしたがって、前記後の変更期間において受信する
ように構成された少なくとも１つのプロセッサと、
前記少なくとも１つのプロセッサに接続されたメモリと
を備える無線通信装置。
【請求項９】
システム情報ブロック（ＳＩＢ）の将来の変更の検出を容易にする無線通信装置であって、
前記ＳＩＢおよび／または他のＳＩＢの後の変更に関連する１または複数のパラメータを備えるＳＩＢを受信する手段と、
前記ＳＩＢおよび／または他のＳＩＢが、後の変更期間において変更されるかを、少なくとも部分的に前記１または複数のパラメータに基づいて判定する手段と
を備える無線通信装置
【請求項１０】
コンピュータ読取可能媒体を備えるコンピュータ・プログラム製品であって、
前記コンピュータ読取可能媒体は、
少なくとも１つのコンピュータに対して、現在の変更期間において、現在のシステム情報ブロック（ＳＩＢ）を受信させるためのコードと、
前記少なくとも１つのコンピュータに対して、前記現在のＳＩＢ、および／または、前記現在のＳＩＢを変更することに関連する他のＳＩＢの１または複数のパラメータを検出させるためのコードと、
前記少なくとも１つのコンピュータに対して、前記現在のＳＩＢが後の変更期間において変更されることを、少なくとも部分的に前記１または複数のパラメータに基づいて判定させるためのコードと
を備えるコンピュータ・プログラム製品
【請求項１１】
装置であって、
アクセス・ポイントからシステム情報ブロック（ＳＩＢ）を受信するＳＩＢリーダと、
前記ＳＩＢおよび／または他のＳＩＢにおける１または複数のパラメータに少なくとも部分的に基づいて、後の変更期間におけるＳＩＢの変更を判定するＳＩＢ変更アナライザと、
前記後の変更期間において前記ＳＩＢを受信するように前記ＳＩＢリーダを設定するＳＩＢ変更エンプロイヤ（employer）と
を備える装置。
【請求項１２】
前記後の変更期間の開始を判定する変更期間境界検出器をさらに備える請求項１１に記載の装置。
【請求項１３】
前記ＳＩＢ変更エンプロイヤは、前記後の変更期間の開始近くに前記ＳＩＢリーダを設定する請求項１２に記載の装置。
【請求項１４】
前記ＳＩＢリーダは、前記後の変更期間において、前記ＳＩＢを受信する請求項１１に記載の装置。
【請求項１５】
前記装置は、前記後の変更期間において受信されたＳＩＢの１または複数のパラメータに少なくとも部分的に基づいて、共通チャネルによって通信する請求項１４に記載の装置。
【請求項１６】
前記装置は、アイドル・モードでアクセス・ポイントと通信する請求項１１に記載の装置。
【請求項１７】
前記１または複数のパラメータは、前記ＳＩＢが前記後の変更期間において変更されるかを示すフラグを含む請求項１１に記載の装置。
【請求項１８】
後の変更期間においてシステム情報ブロック（ＳＩＢ）を変更する通知を容易にする方法であって、
無線通信ネットワークによるアイドル・モード通信に関連する１または複数のパラメータを備えるＳＩＢを生成することと、
前記ＳＩＢを変更するための後の変更期間を決定することと、
前記後の変更期間において前記ＳＩＢを変更することを示すために、前記ＳＩＢおよび／または他のＳＩＢに１または複数のパラメータを挿入することと
を備える方法。
【請求項１９】
前記無線通信ネットワークで前記ＳＩＢを送信することをさらに備える請求項１８に記載の方法。
【請求項２０】
前記ＳＩＢを変更することと、前記変更したＳＩＢを、前記後の変更期間において、前記無線通信ネットワークで送信することとをさらに備える請求項１８に記載の方法。
【請求項２１】
前記１または複数のパラメータは、前記ＳＩＢが前記後の変更期間で変更されるかを示すフラグを含む請求項１８に記載の方法。
【請求項２２】
前記１または複数のパラメータは、前記ＳＩＢが変更される、前記後の変更期間を示すインジケーションを含む請求項１８に記載の方法。
【請求項２３】
無線通信装置であって、
無線ネットワーク・アクセスを提供することに関する１または複数のパラメータを備えるシステム情報ブロック（ＳＩＢ）を生成し、
前記ＳＩＢを変更する将来の変更期間を選択し、
前記ＳＩＢ、および／または、前記将来の変更期間における変更を示す他のＳＩＢに、１または複数のパラメータを設定する
ように構成された少なくとも１つのプロセッサと、
前記少なくとも１つのプロセッサに接続されたメモリと
を備える無線通信装置。
【請求項２４】
後の変更期間におけるシステム情報ブロック（ＳＩＢ）の変更を示す無線通信装置であって、
無線アクセスを提供することに関連する１または複数のパラメータを備えるＳＩＢを生成する手段と、
前記ＳＩＢを調節する後の変更期間を決定する手段と、
前記後の変更期間における調節を示すために、前記ＳＩＢおよび／または他のＳＩＢにおけるパラメータを初期化する手段と
を備える無線通信装置。
【請求項２５】
コンピュータ読取可能媒体を備えるコンピュータ・プログラム製品であって、
前記コンピュータ読取可能媒体は、
少なくとも１つのコンピュータに対して、無線通信ネットワークを介したアイドル・モード通信に関連する１または複数のパラメータを備えるシステム情報ブロック（ＳＩＢ）を生成させるためのコードと、
前記少なくとも１つのコンピュータに対して、前記ＳＩＢを変更するための後の変更期間を選択させるためのコードと、
前記少なくとも１つのコンピュータに対して、前記後の変更期間において、ＳＩＢを変更することを示すため、前記ＳＩＢおよび／または他のＳＩＢにおける１または複数のパラメータを変更させるためのコードと
を備えるコンピュータ・プログラム製品。
【請求項２６】
装置であって、
前記装置と通信することに関連する１または複数のパラメータを備えるＳＩＢを生成するシステム情報ブロック（ＳＩＢ）生成器と、
後の変更期間におけるＳＩＢの変更を示すために、前記ＳＩＢおよび／またはその他のＳＩＢにおけるパラメータを調節するＳＩＢ変更指定部と、
前記後の変更期間における送信のために変更されたＳＩＢを生成するように前記ＳＩＢ生成器を設定するＳＩＢ変更インスタンシエータ（instantiator）と
を備える装置。
【請求項２７】
前記ＳＩＢ生成器は、前記変更されたＳＩＢを生成し、前記生成したＳＩＢを、前記後の変更期間において送信する請求項２６に記載の装置。
【請求項２８】
前記パラメータは、前記ＳＩＢが次の変更期間において変更されるかを示すフラグであり、前記次の変更期間は、前記後の変更期間である請求項２６に記載の装置。
【請求項２９】
前記パラメータは、前記ＳＩＢが変更される、前記後の変更期間を示すインジケーションである請求項２６に記載の装置。
【発明の詳細な説明】
【関連出願に対する相互参照】
【０００１】
本出願は、２００８年１月１１日に出願された"SYSTEM INFORMATION MODIFICATION NOTIFICATION AND DETECTION IN WIRELESS COMMUNICATIONS"と題された米国仮出願６１／０２０，７０５号の利益を主張する。上記出願の全体は、参照によって本明細書に組み込まれる。
【技術分野】
【０００２】
以下の記載は、一般に、無線通信に関し、さらに詳しくは、システム情報変更の通知および関連する検出に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改良技術等に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。さらに、モバイル・デバイスは、無線ネットワークにわたって移動し、さまざまな基地局から無線アクセス・サービスを受け取る。したがって、モバイル・デバイスは、移動すると、送信電力またはその他の判定基準に基づいて、さまざまな基地局のセルを再選択する。さらに、アイドル・モードで動作しているモバイル・デバイスは、基地局からシステム情報ブロック（ＳＩＢ）を受信する。ＳＩＢは、例えば、共通チャネル設定、アイドル・モード・モビリティ・パラメータ、システム獲得情報等のように、基地局に関連する情報を定義する。基地局は、スケジュールされた変更期間内でシステム情報を変更し、スケジュールされた変更期間を、ページングを用いて（例えば、低電力デューティ・サイクル受信のための不連続受信器（ＤＲＸ）によって）、モバイル・デバイスへ通知しうる。通知されると、モバイル・デバイスは、（例えば、アイドル・モードからアクティブ・モードへ切り換わった場合におけるシステム獲得のような）後の利用のためにこの変化を処理する。
【発明の概要】
【０００６】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、１または複数の実施形態のいくつかの概念を、簡略化された形式で表すことである。
【０００７】
１または複数の実施形態および対応する開示によれば、さまざまな態様が、現在の変更期間で送信されたシステム情報ブロック（ＳＩＢ）内で、後の変更期間におけるＳＩＢ変更を示すことを容易にすることに関して記載される。この点に関し、モバイル・デバイスは、ブロックが後の変更期間において変更されるかを判定するために、現在のＳＩＢを評価しうる。もしも変更されるのであれば、モバイル・デバイスは、それにしたがって、示された変更期間における変更を処理しうる。
【０００８】
関連する態様によれば、ＳＩＢのその後の変更を検出する方法が提供される。この方法は、現在の変更期間において現在のＳＩＢを受信することと、現在のＳＩＢ、および／または、現在のＳＩＢを変更することに関連する他のＳＩＢを分析することとを含む。この方法はまた、現在のＳＩＢが後の変更期間において変更されるかを、少なくとも部分的に１または複数のパラメータに基づいて判定することを含む。
【０００９】
別の態様は、無線通信装置に関する。無線通信装置は、アクセス・ポイントからＳＩＢを受信し、後の変更期間において、ＳＩＢ、および／または、ＳＩＢの変更に関連する他のＳＩＢにおける１または複数のパラメータを判定するように構成された少なくとも１つのプロセッサを含みうる。このプロセッサはさらに、１または複数のパラメータにしたがって、変更されたＳＩＢを、その後の変更期間において受信するように構成される。無線通信装置はまた、少なくとも１つのプロセッサに接続されたメモリをも備える。
【００１０】
また、別の態様は、ＳＩＢの将来の変更を検出することを容易にする無線通信装置に関する。無線通信装置は、ＳＩＢおよび／または他のＳＩＢの後の変更に関連する１または複数のパラメータを備えるＳＩＢを受信する手段を備えうる。無線通信装置はさらに、ＳＩＢおよび／または他のＳＩＢが、後の変更期間において変更されるかを、少なくとも部分的に１または複数のパラメータに基づいて判定する手段を備えうる。
【００１１】
また別の態様は、少なくとも１つのコンピュータに対して、現在の変更期間において、現在のＳＩＢを受信させるためのコードを含むコンピュータ読取可能媒体を有するコンピュータ・プログラム製品に関する。このコンピュータ読取可能媒体はまた、少なくとも１つのコンピュータに対して、現在のＳＩＢ、および／または、現在のＳＩＢを変更することに関連する他のＳＩＢの１または複数のパラメータを検出させるためのコードを備えうるさらに、このコンピュータ読取可能媒体は、少なくとも１つのコンピュータに対して、現在のＳＩＢが後の変更期間において変更されることを、少なくとも部分的に１または複数のパラメータに基づいて判定させるためのコードを備えうる。
【００１２】
さらに、追加の態様は装置に関する。この装置は、アクセス・ポイントからＳＩＢを受信するＳＩＢリーダと、ＳＩＢおよび／またはその他のＳＩＢにおける１または複数のパラメータに少なくとも部分的に基づいて、後の変更期間におけるＳＩＢの変更を判定するＳＩＢ変更アナライザとを含みうる。この装置はさらに、後の変更期間においてＳＩＢを受信するようにＳＩＢリーダを設定するＳＩＢ変更エンプロイヤ（employer）を含みうる。
【００１３】
さらなる態様によれば、後の変更期間においてＳＩＢを変更する通知を容易にする方法が提供される。この方法は、無線通信ネットワークによるアイドル・モード通信に関連する１または複数のパラメータを備えるＳＩＢを生成することと、ＳＩＢを変更するための後の変更期間を決定することとを含む。この方法はさらに、後の変更期間においてＳＩＢを変更することを示すために、ＳＩＢおよび／またはその他のＳＩＢに１または複数のパラメータを挿入することを含む。
【００１４】
別の態様は、無線通信装置に関する。この無線通信装置は、無線ネットワーク・アクセスを提供することに関する１または複数のパラメータを備えるＳＩＢを生成するように構成された少なくとも１つのプロセッサを含みうる。このプロセッサはさらに、ＳＩＢを変更する将来の変更期間を選択し、ＳＩＢ、および／または、将来の変更期間における変更を示すその他のＳＩＢに、１または複数のパラメータを設定するように構成されている。無線通信装置はさらに、少なくとも１つのプロセッサに接続されたメモリを備える。
【００１５】
また、別の態様は、後の変更期間におけるＳＩＢの変更を示す無線通信装置に関する。この無線通信装置は、無線アクセスを提供することに関連する１または複数のパラメータを備えるＳＩＢを生成する手段を備えうる。無線通信装置はさらに、ＳＩＢを調節する後の変更期間を決定する手段と、後の変更期間における調節を示すために、ＳＩＢおよび／またはその他のＳＩＢにおけるパラメータを初期化する手段とを含みうる。
【００１６】
また別の態様は、少なくとも１つのコンピュータに対して、無線通信ネットワークを介したアイドル・モード通信に関連する１または複数のパラメータを備えるＳＩＢを生成させるためのコードを含むコンピュータ読取可能媒体を有するコンピュータ・プログラム製品に関する。このコンピュータ読取可能媒体はさらに、少なくとも１つのコンピュータに対して、ＳＩＢを変更するための後の変更期間を選択させるためのコードを備える。さらに、このコンピュータ読取可能媒体は、少なくとも１つのコンピュータに対して、後の変更期間におけるＳＩＢを変更することを示すため、ＳＩＢおよび／またはその他のＳＩＢにおける１または複数のパラメータを変更させるためのコードを備えうる。
【００１７】
さらに、追加の態様は、装置に関する。この装置は、装置と通信することに関連する１または複数のパラメータを備えるＳＩＢを生成するＳＩＢ生成器と、後の変更期間におけるＳＩＢの変更を示すために、ＳＩＢおよび／またはその他のＳＩＢにおけるパラメータを調節するＳＩＢ変更指定部とを含みうる。この装置はさらに、後の変更期間における送信のために変更されたＳＩＢを生成するようにＳＩＢ生成器を設定するＳＩＢ変更インスタンシエータ（instantiator）を含む。
【００１８】
前述した目的および関連する目的を達成するために、１または複数の実施形態は、後に十分に記載され、特許請求の範囲において特に指摘されている特徴を備える。以下の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１９】
【図１】図１は、本明細書に記載されたさまざまな態様にしたがう無線通信システムの例示である。
【図２】図２は、無線通信環境において適用される通信装置の例示である。
【図３】図３は、システム情報ブロック（ＳＩＢ）変更期間情報の通知および決定を有効にする無線通信システムの例示である。
【図４】図４は、ＳＩＢ情報が送信される送信ブロックの例示である。
【図５】図５は、ＳＩＢが変更されるＳＩＢ変更期間を決定することを容易にする方法の例示である。
【図６】図６は、ＳＩＢを変更するためのＳＩＢ変更期間を示すことを容易にする方法の例示である。
【図７】図７は、現在のＳＩＢに基づいてＳＩＢの将来の変更を決定するモバイル・デバイスの例示である。
【図８】図８は、将来の変更期間におけるＳＩＢ変更をデバイスに通知するシステムの例示である。
【図９】図９は、本明細書で開示されたされたさまざまなシステムおよび方法と共に適用されうる無線ネットワーク環境の実例である。
【図１０】図１０は、後の変更期間のＳＩＢ変更を検出するシステムの実例である。
【図１１】図１１は、所与の後の変更期間におけるＳＩＢ変更を示すシステムの実例である。
【発明を実施するための形態】
【００２０】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２２】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスとの通信のために利用することができ、さらには、アクセス・ポイント、ノードＢ、イボルブド・ノードＢ（ｅノードＢあるいはｅＮＢ）、基地トランシーバ局（ＢＴ）、あるいはその他いくつかの用語として称されうる。
【００２３】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハードディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。本明細書に記載された技術はまた、例えば１×ＥＶ−ＤＯ改訂Ｂまたはその他の改訂等のようなイボリューション・データ・オプティマイズド（ＥＶ−ＤＯ）規格で利用されうる。さらに、そのような無線通信システムは、しばしばアンペア（unpaired）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２５】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２７】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、ピア・ツー・ビア技術またはアド・ホック技術（図示せず）を使用して、互いにダイレクトに通信しうる。
【００２９】
例によれば、システム１００は、複数入力複数出力（ＭＩＭＯ）通信システムでありうる。さらに、システム１００は、例えばＦＤＤ、ＦＤＭ、ＴＤＤ、ＴＤＭ、ＣＤＭ等のような通信チャネル（例えば、順方向リンク、逆方向リンク）を分割するために、実質的に任意のタイプのデュプレクス技術を利用しうる。さらに、通信チャネルは、複数のデバイスとの同時通信を可能にするために直交化されうる。この点に関し、一例では、ＯＦＤＭが利用されうる。モバイル・デバイス１１６、１２２は、無線有効通信範囲エリア内を移動しうるので、モバイル・デバイス１１６、１２２は、連続した有効通信範囲を提供するために、基地局１０２またはその他の基地局（図示せず）に関連するセルを再選択しうる。さらに、モバイル・デバイス１１６、１２２は、アイドル・モードおよび／またはアクティブ・モードで動作しうる。例えば、アイドル・モードでは、モバイル・デバイス１１６、１２２は、セル再選択を実行することができ、これによって、アクティブ・モードへ切り換えがなされると、モバイル・デバイス１１６、１２２は、以前に必要とされていたシステム獲得手順を実行することなく、（例えば、基地局１０２のような）関連する基地局と通信しうる。この挙動を容易にするために、一例において、基地局１０２は、共通チャネル設定（例えば、ランダム・アクセス・チャネル等）、アイドル・モード・モビリティ（例えば、測定のための近隣周波数、モビリティを利用するためのその他の基準等）、システム獲得等に関連する情報を備えるシステム情報ブロック（ＳＩＢ）をモバイル・デバイス１１６、１２２へ送信しうる。ＳＩＢは、例えば、ラジオ・リソース制御（ＲＲＣ）メッセージにおけるスケジューリング・ユニット（ＳＵ）に関連しうる。
【００３０】
例によれば、基地局１０２は、スケジュールされた変更期間でＳＩＢを送信するので、これによって。ブロックは、現在の変更期間内で変更されなくなる。むしろ、基地局１０２は、モバイル・デバイス１１６、１２２にまず変更を通知し、この変更を有効にするためにその後の変更期間まで待機することが必要とされる。基地局１０２のみならず、モバイル・デバイス１１６、１２２もまたスケジュールされ、もって、モバイル・デバイス１１６、１２２は、同じ変更期間境界を認識できるようになることが認識されるべきである。変更通知を達成するために、ページングが既に利用されている。ここでは、モバイル・デバイス１１６、１２２が、最後のページの後に、アイドル・モードで、基地局１０２のセルに入る。次の変更期間では、基地局１０２によってシステム情報が変更され、モバイル・デバイス１１６、１２２は、既に受信したシステム情報を、次の変更期間において利用する。しかしながら、モバイル・デバイス１１６、１２２は、変更を通知するページングに気が付かず、このシステム情報は、すでに古くなっている可能性がある。
【００３１】
したがって、このようなページングの望まれない効果を緩和するために、基地局１０２は、現在のＳＩＢ内で、後の変更期間において、送信されたＳＩＢにおけるシステム情報変更を示しうる。これは、現在の変更期間ではなく、次のあるいは将来の変更期間でありうる。この点に関し、基地局１０２とのアイドル・モード通信を最初に確立したモバイル・デバイス１１６、１２２は、現在のＳＩＢを受信し、次の変更期間または後の変更期間において、現在のＳＩＢまたは１または複数の別のＳＩＢにおいてシステム情報が変化したかを判定しうる。これによって、ページングの受信の依存度を緩和する。なぜなら、モバイル・デバイス１１６、１２２は、基地局１０２とのアイドル・モード通信を確立すると、基地局１０２のＳＩＢを受信し、評価するからである。それに加えて、モバイル・デバイス１１６、１２２は、この点に関し、現在のＳＩＢと、関連する変更情報を有しうる。モバイル・デバイス１１６、１２２は、基地局１０２に関するセルに対する再選択を行うことによって、基地局１０２からのシステム情報の受信を開始し、基地局１０２に関するセルにおける通信等を行いながら、アクティブ・モードからアイドル・モードへと切り換わることが認識されるべきである。
【００３２】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通知装置でありうる。通信装置２００は、１または複数の関連するアクセス・ポイント（図示せず）から１または複数のＳＩＢを受信して評価するＳＩＢリーダ２０２と、システム情報が次の変更期間またはその後の別の変更期間で変更されたかを判定するために、ＳＩＢ内のＳＩＢ変更パラメータを評価しうるＳＩＢ変更アナライザ２０４と、変更されたＳＩＢを後の変更期間において受信し、それにしたがって、変更された情報を用いて、通信装置２００を設定するＳＩＢ変更アダプタ２０６とを含みうる。
【００３３】
一例によれば、ＳＩＢリーダ２０２は、無線ネットワーク上のさまざまなアクセス・ポイントからＳＩＢを受信しうる。説明するように、ＳＩＢは、通信装置２００がアイドル・モードで動作している間に読み取られ、ＳＩＢは、システム獲得、アイドル・モード・モビリティ、共通チャネル等に関する情報を含みうる。その上、ＳＩＢは、ＳＩＢの変更に関する情報、あるいは、後の変更期間におけるその他のＳＩＢを備えうる。これは、例えば、ＳＩＢが次の変更期間において変更されるかを示すフラグ、将来の変更期間における変更を示す期間カウンタ、変更期間のその他の識別子、等でありうる。ＳＩＢ変更アナライザ２０４は、ＳＩＢが変更される１または複数の変更期間を、フラグ、カウンタ、またはその他に基づいて判定しうる。したがって、ＳＩＢ変更アダプタ２０６は、適切な変更期間において、変更されたＳＩＢを受信するように通信装置２００および／またはＳＩＢリーダ２０２を設定しうる。説明するように、通信装置２００はその後、例えば、共通チャネルによる通信、アイドル・モード・モビリティの実行等のために、変更されたＳＩＢ情報を利用しうる。それに加えて、通信装置２００は、変更されたＳＩＢに少なくとも部分的に基づいて、内部パラメータを更新しうる。
【００３４】
図３に示すように、ＳＩＢ変更の通知および検出を容易にする無線通信システム３００が例示される。無線デバイス３０２、３０４は、モバイル・デバイス（独立して駆動されるデバイスのみならず、例えばモデムをも含む）、基地局、および／または、それらの一部でありうる。一例において、無線デバイス３０２は、逆方向リンクすなわちアップリンク・チャネルによって無線デバイス３０４に情報を送信しうる。さらに、無線デバイス３０２は、その逆に、順方向リンクすなわちダウンリンク・チャネルによって、無線デバイス３０４から情報を受信しうる。また別の例において、無線デバイス３０２、３０４は、無線デバイス３０２および無線デバイス３０４が類似のタイプである場合、ピア・トゥ・ピアまたはアド・ホック技術を用いて通信しうる。さらに、システム３００はＭＩＭＯシステムでありうる。および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠しうる。さらに、無線デバイス３０２における図示および後述する構成要素および機能は、一例において、逆に、無線デバイス３０４内にも同様に存在しうる。図示した構成は、説明を簡単にするために、これら構成要素を除外している。
【００３５】
無線デバイス３０２は、無線デバイス３０４からＳＩＢを受信するＳＩＢリーダ３０６と、ＳＩＢ内のフラグまたはＳＩＢ変更パラメータを検出するＳＩＢ変更アナライザ３０８と、１または複数の変更期間の終了および／または開始を判定する変更期間境界検出器３１０と、変更されたＳＩＢを後の変更期間において受信するように、無線デバイス３０２および／またはＳＩＢリーダ３０６を設定しうるＳＩＢ変更エンプロイヤ（employer）３１２とを含む。変更期間は、一例において、同じサイズであるか、あるいは、可変サイズでありうることが認識されるべきである。いずれの場合であれ、変更期間境界検出器３１０は、変更期間が開始および終了する場所を判定しうる。
【００３６】
無線デバイス３０４は、例えば無線デバイス３０２のような１または複数の別の無線デバイスへの送信のためのＳＩＢを生成するＳＩＢ生成器３１４と、変更期間境界検出器３１０と同様にＳＩＢのための変更期間を判定し、フラグや、カウンタや、後の変更期間のための変更情報を示すその他のパラメータを現在のＳＩＢに加えるＳＩＢ変更指定部３１６と、この変更にしたがって、後の変更期間でＳＩＢを送信するように無線デバイス３０４および／またはＳＩＢ生成器３１４を設定しうるＳＩＢ変更インスタンシエータ（instantiator）３１８とを含む。
【００３７】
一例によれば、ＳＩＢ生成器３１４は、説明したように、例えば、アイドル・モビリティ・モード情報、共通チャネル設定パラメータ、システム獲得情報等のようなアイドル・モード・パラメータに関する情報を備えたＳＩＢを生成しうる。ＳＩＢ変更指定部３１６は、ＳＩＢにＳＩＢ変更パラメータを挿入しうる。説明するように、ＳＩＢ変更パラメータは、ＳＩＢが次の変更期間において変更されるか否かを示すフラグ、ＳＩＢが変更されるまでの変更期間の数を示すカウンタ、（一例において、それぞれの変更期間と同様に）１または複数のその後の変更期間で変更された１または複数のＳＩＢを示す識別子等でありうる。無線デバイス３０４は、無線ネットワークによってＳＩＢを送信しうる。変更パラメータが、変更されたＳＩＢを、後の変更期間において示す場合、ＳＩＢ変更インスタンシエータ３１８は、変更されたＳＩＢ情報を、後の変更期間で利用するように、無線デバイス３０４および／またはＳＩＢ生成器３１４を設定しうる。
【００３８】
ＳＩＢリーダ３０６は、一例において、１または複数のパラメータを抽出、決定、あるいは推論するために、ＳＩＢを処理しうる。説明するように、ＳＩＢリーダ３０６は、無線デバイス３０２がアイドル・モードで動作している場合、ＳＩＢを受信しうる。したがって、ＳＩＢリーダ３０６は、アクティブ・モードからアイドル・モードへ切り換わる場合に、現在のＳＩＢを受信しうる。別の例において、説明するように、ＳＩＢリーダ３０６は、別の無線デバイスとの通信を始めている場合（たとえば、関連するセル等に入る場合）、現在のＳＩＢを受信しうる。現在のＳＩＢを受信すると、ＳＩＢ変更アナライザ３０８は、ＳＩＢ内の変更パラメータを識別しうる。例えば、変更パラメータは、説明するように、ＳＩＢが次の変更期間において変更されることを示すフラグでありうる。変更期間境界検出器３１０は、次の変更期間の開始を判定し、ＳＩＢ変更エンプロイヤ３１２は、たとえば、次の変更期間において、変更されたＳＩＢを受信するように、無線デバイス３０２すなわちＳＩＢリーダ３０６を設定しうる。したがって、無線デバイス３０２は、一例において、無線デバイス３０４と通信する際に将来利用するために、ＳＩＢに関連する格納されたパラメータを更新するように準備しうる。
【００３９】
別の例によれば、変更パラメータは、ＳＩＢが次の変更期間において変更されないであろうことを示すフラグでありうる。この例において、ＳＩＢ変更エンプロイヤ３１２は、無線デバイス３０２および／またはＳＩＢリーダ３０６に関して何の動作も講じない。別の例において、ＳＩＢ変更エンプロイヤ３１２は、次の変更期間について変更がないことをＳＩＢリーダ３０６に通知しうる。また別の例において、変更パラメータは、ＳＩＢが変更されるまでの変更期間の数を示すカウンタでありうる。したがって、ＳＩＢ変更アナライザ３０８は、おのおのの変更期間が開始または終了したときを検出するために、変更期間境界検出器３１０を利用し、終了した変更期間を記録しうる。したがって、ＳＩＢ変更アナライザ３０８が、変更パラメータ（あるいは、例えば、（変更パラメータ）−１）に一致する終了した変更期間の数をカウントした場合、ＳＩＢ変更エンプロイヤ３１２は、次の変更期間において、変更されたＳＩＢを受信するように、無線デバイス３０２および／またはＳＩＢリーダ３０６を設定しうる。変更パラメータは、さらに、１または複数のその後の変更期間で変更されうるＳＩＢに関連しうる。例えば、このパラメータは、次の期間で変更されたＳＩＢ、それぞれの変更期間カウンタを備えたＳＩＢ、これらの組み合わせ等を示しうる。上述したように、無線デバイス３０２は、所与の変更期間について変更された１または複数のＳＩＢを判定するために、この情報を利用しうる。
【００４０】
無線デバイス３０２は、アイドル・モードへ切り換わった場合、および／または、無線デバイス３０４との通信を開始した場合、現在のＳＩＢを受信するので、既に説明したようなページングを待つのではなく、可能性のある変更に関する情報を予め保持しうる。これによって、無線デバイス３０２が無線デバイス３０４との通信を開始した場合、あるいは、最後のページング後にアクティブ・モードからアイドル・モードへ切り換わった場合、無線デバイス３０２が古すぎる変更情報を取得する挙動を緩和する。図示するように、無線デバイス３０２は、無線デバイス３０４によって送信されたその後のＳＩＢを評価することによって、進行中の現在の変更情報を保持しうることが認識されるべきである。
【００４１】
図４に移って、複数の変更期間にわたって送信された複数のＳＩＢを例示する送信ブロック４００の例が示される。送信ブロック４００は、さまざまなＳＩＢが送信されうる変更期間Ｎ  ４０２および変更期間Ｎ＋１  ４０４を含む。図示するように、ＳＩＢ４０８は、変更期間Ｎ  ４０２にわたって、複数のインスタンスで送信される。説明するように、アクセス・ポイントあるいは他のアクセス・サービス・プロバイダは、アクセス・サービス・プロバイダに接続するために、ＳＩＢを送信し、アイドル・モード情報を提供する。また、変更期間Ｎ  ４０２にわたり、複数のインスタンスでＳＩＢ４０６も送信される。しかしながら、変更期間Ｎ＋１  ４０４では、ＳＩＢ４０６が、ＳＩＢ４１０として変更される。ＳＩＢ４１０は、ＳＩＢ４０８と同様に、変更期間Ｎ＋１  ４０４にわたって複数のインスタンスで送信される。この点に関し、変更期間Ｎ  ４０２におけるＳＩＢ４０６のうちの少なくとも後半のインスタンスは、次の変更期間Ｎ＋１  ４０４における変更を示すことが要求されうる。説明するように、ＳＩＢ４０６はさらに、あるいは、その代わりに、ＳＩＢ４０６がＳＩＢ４１０へと変更された変更期間として、変更期間Ｎ＋１  ４０４を、カウンタまたはその他の識別パラメータで、明示的に指定しうる。
【００４２】
一例によれば、ＵＥは、送信ブロックにおける時間４１２において、アクセス・サービス・プロバイダに関連するセルに入り、アクティブ・モードからアイドル・モードへの切り換え等を行いうる。時間４１４において、ＵＥは、ＳＩＢ４０６および／またはＳＩＢ４０８の読み取りを完了しうる。このように、ＳＩＢ４０６および／またはその他のＳＩＢは、変更期間Ｎ＋１  ４０４におけるＳＩＢ４０６のその後の変更を示すので、ＵＥは、変更期間Ｎ＋１  ４０４において、変更されたＳＩＢ４１０を受信するように自身を設定しうる。ＵＥは、それにしたがって、パラメータの更新等のために、この変更されたＳＩＢを利用する。ＵＥが変更期間Ｎ＋１  ４０４においてＳＩＢを読み取った場合（図示せず）、ＵＥは、変更されたＳＩＢ４１０を読み取り、もって、現在のＳＩＢ情報を有することができることが認識されるべきである。これは、ＵＥがＳＩＢ４０６を読み取る前か、あるいは、ＵＥが変更期間Ｎ  ４０２内にページングを受信する機会を持つ前に、ページングがなされ、ＵＥを、適切なＳＩＢ情報なしで変更期間Ｎ＋１  ４０４へ入れる場合、ページングによってもたらされる問題を緩和しうる。
【００４３】
図５および図６に示すように、無線通信ネットワークによるＳＩＢ変更の表示および検出に関する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４４】
図５に移って、現在のＳＩＢ変更期間において、後のＳＩＢ変更を検出することを容易にする方法５００が示される。５０２において、現在のＳＩＢが、現在の変更期間において受信される。説明するように、ＳＩＢは、変更が生じる前に、少なくとも１つの変更期間における変更を示すことが要求される。これは、デバイスに対して、変更されたＳＩＢを受信するように設定する機会を与える。５０４では、説明するように、後の変更に関連する現在のＳＩＢのパラメータ、あるいはその他のＳＩＢのパラメータが分析される。したがって、現在のＳＩＢは、変更に関する情報を備えうる。上述したように、デバイスは、初期通信確立の一部としてＳＩＢを読み取るので、ページング・メカニズムが改善される。このパラメータは、ＳＩＢが次の変更期間で変更されたかを示すフラグ、ＳＩＢが変更された変更期間を示すカウンタまたは変数等でありうる。
【００４５】
５０６では、現在のＳＩＢまたは別のＳＩＢが、後の変更期間において変更されたと判定される。これは、前述したように、パラメータに基づきうる。現在のＳＩＢが後の変更期間で変更されたならば、５０８において、変更されたＳＩＢが、後の変更期間で受信されうる。一例において、これは、設定変更を必要とするので、その結果、変更されたＳＩＢに基づいて、１または複数のローカル・パラメータまたは設定を変更することになる。説明するように、後の変更期間は、パラメータによって示されるように、次の期間、あるいは他のその後の期間でありうることが認識されるべきである。パラメータが、現在のＳＩＢを、後の変更期間において変更されたものとして示さない場合、５１０では、現在のＳＩＢが、次の変更期間で受信され、パラメータによって少なくとも部分的に示されるように、それぞれ変更されるまで、変更期間にしたがう。
【００４６】
図６に移って、後の変更期間におけるＳＩＢ変更を示すことを容易にする方法６００が例示される。６０２では、ＳＩＢが生成される。説明するように、ＳＩＢは、例えば、アイドル・モード・モビリティ情報、システム獲得情報、共通チャネル設定等のように、通信を開始するために利用されうる１または複数のパラメータを備えうる。６０４では、ＳＩＢを変更するための後の変更期間が決定されうる。説明するように、これは、現在の変更期間ではない後の変更期間である必要がある。６０６では、後の変更期間における変更を示すために、１または複数のパラメータが、ＳＩＢおよび／またはその他のＳＩＢ内に挿入されうる。したがって、ＳＩＢを読み取ると、デバイスは、（一例において、次の変更期間でありうる）後の変更期間においてＳＩＢが変化するものと判定しうる。６０８では、無線通信ネットワークあるいはその他のネットワークを介して１または複数のデバイスへＳＩＢが送信されうる。
【００４７】
説明するように、本明細書に記載された１または複数の態様にしたがって、ＳＩＢが変更される変更期間、変更期間境界等を決定することについて推論がなされうることが認識されるだろう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４８】
図７は、ＳＩＢが変更された変更期間を判定することを容易にするモバイル・デバイス７００の実例である。モバイル・デバイス７００は、受信機７０２を備える。この受信機７０２は、例えば（図示しない）受信アンテナから、１または複数のキャリアを介して１または複数の信号を受信し、受信した信号に対して一般的な動作（フィルタ、増幅、ダウンコンバート等）を実行し、これら調整された信号をデジタル化してサンプルを得る。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００４９】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５０】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。
【００５１】
主題となるシステムおよび方法のメモリ７０８は、限定される訳ではないが、これらおよびその他任意の適切なタイプのメモリを備えることが意図される。
【００５２】
プロセッサ７０６はさらに、変更期間にわたって１または複数のアクセス・ポイントから１または複数のＳＩＢを受信するＳＩＢリーダ７１０と動作可能に接続されうる。説明するように、ＳＩＢは、アイドル・モードでアクセス・ポイントと通信するためのパラメータを示しうる。しかしながら、ＳＩＢは、さらに、ＳＩＢが後の変更期間において変化するかを示す１または複数のパラメータを含みうる。プロセッサはさらに、ＳＩＢが変更されるか、および、現在の変更期間に対するどの変更期間で変更されるかを判定するＳＩＢ変更アナライザ７１２に接続されうる。したがって、モバイル・デバイス７００は、変更されたＳＩＢを、示された変更期間において受信するように構成されうる。さらに、モバイル・デバイス７００は、変更されたＳＩＢを受信する。そして、１または複数のローカルに格納されたパラメータを更新するためにパラメータを利用し、アクセス・ポイント等とのアクティブ・モード通信を確立しうる。モバイル・デバイス７００はさらに、信号を変調する変調器７１４と、この信号を例えば基地局、別のモバイル・デバイス等へ送信する送信機７１６とを備える。プロセッサ７０６と別に示されているが、ＳＩＢリーダ７１０、ＳＩＢ変更アナライザ７１２、復調器７０４、および／または、変調器７１４は、プロセッサ７０６または複数のプロセッサ（図示せず）の一部でありうることが認識されるべきである。
【００５３】
図８は、後の変更期間におけるＳＩＢ変更を１または複数のモバイル・デバイスへ示すシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、ＳＩＢが変更されるその後の変更期間を判定して示すＳＩＢ変更指定部８１８と、ＳＩＢ変更に関連する１または複数のパラメータを備える１または複数のＳＩＢを生成するＳＩＢ生成器８２０と、に接続される。
【００５４】
例によれば、ＳＩＢ変更指定部８１８は、ＳＩＢを変更することを決定し、この変更を実施するための後の変更期間を選択しうる。ＳＩＢ生成器８２０は、ＳＩＢにおける変更期間に関する情報を含みうる。説明するように、これは、次の変更期間における変更を示すＳＩＢにおけるフラグ、変更が生じる変更期間を分離する変更識別子等でありうる。さらに、プロセッサ８１４と別に示されているが、ＳＩＢ変更指定部８１８、ＳＩＢ生成器８２０、復調器８１２、および／または、変調器８２２は、プロセッサ８１４または複数のプロセッサ（図示せず）のうちの一部でありうることが認識されるべきである。
【００５５】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、例（図４）、および／または方法（図５および図６）を適用しうることが認識されるべきである。
【００５６】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００５７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００５８】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００５９】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６０】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６１】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６２】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６３】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６４】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６５】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６６】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【００６７】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００６８】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６９】
図１０を参照して、ＳＩＢが変更される変更期間を決定するシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、ＳＩＢおよび／または別のＳＩＢの後の変更に関連する１または複数のパラメータを備えたＳＩＢを受信するための電子構成要素１００４を含みうる。例えば、説明するように、ＳＩＢはさらに、関連するアクセス・ポイントとアイドル・モードで通信するためのパラメータを備えうる。さらに、論理グループ１００２は、少なくとも部分的に１または複数のパラメータに基づいて、後の変更期間でＳＩＢが変更されたのかを判定するための電子構成要素１００６を備えうる。これは、例えば、１または複数のパラメータが、ＳＩＢが次の変更期間において変更されるかを示すフラグや、ＳＩＢが変更される変更期間を示す明示的なインジケーション等を含む場合に判定されうる。さらに、論理グループ１００２は、その後の変更期間の開始を判定するための電子構成要素１００８を含みうる。これによって、システム１０００は、ＳＩＢが変更される時点を判定できるようになる。さらに、論理グループ１００２はまた、その後の変更期間においてＳＩＢを受信するようにシステム１０００を設定するための電子構成要素１０１０をも備えうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００７０】
図１１に移って、現在の変更期間で送信されたＳＩＢを利用することによって、後の変更期間におけるＳＩＢ変更をデバイスに通知するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、ＳＩＢを変更するための変更期間を通知する電子構成要素からなる論理グループ１１０２を含む。論理グループ１１０２は、無線アクセスを提供することに関連する１または複数のパラメータを備えるＳＩＢを生成するための電子構成要素１１０４を含みうる。説明するように、これらパラメータは、システム獲得情報、共通チャネル設定、アイドル・モード・モビリティ・パラメータ等に関連しうる。さらに、論理グループ１１０２は、ＳＩＢを調節するため、後の変更期間を決定するための電子構成要素１１０６を含みうる。例えば、これは、次の変更期間であるか、あるいは、現在の期間以外の別の将来の期間でありうる。さらに、論理グループ１１０２はまた、後の変更期間における調節を示すために、ＳＩＢおよび／またはその他のＳＩＢにおけるパラメータを初期化するための電子構成要素１１０８をも含みうる。説明するように、これによって、ＳＩＢがデバイスによって読み取られた場合、デバイスはいつでも、現在のＳＩＢ情報を有することを保証しうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７１】
上述したものは、１または複数の実施形態のうちの一例を含む。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【００７２】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００７３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００７４】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【図１】
2011512709.tif 000003
【図２】
2011512709.tif 000004
【図３】
2011512709.tif 000005
【図４】
2011512709.tif 000006
【図５】
2011512709.tif 000007
【図６】
2011512709.tif 000008
【図７】
2011512709.tif 000009
【図８】
2011512709.tif 000010
【図９】
2011512709.tif 000011
【図１０】
2011512709.tif 000012
【図１１】
2011512709.tif 000013
【国際調査報告】
2011512709.tif 000014
2011512709.tif 000015
2011512709.tif 000016